(57)【要約】【課題】マザーボード等への実装状態の違いによる特性変化を低減できる薄型の積層型誘電体フィルタを提供する。【解決手段】下部グランド電極111が誘電体シート121の略全面に形成され、上部グランド電極116が上部から透視したときにインダクタ電極114A,114Bと重ならないように開口部116aを持つように積層型誘電体フィルタ100を構成する。この構造により、キャパシタ電極112A,112Bと下部グランド電極111との間でキャパシタを形成する際に略全面を使用することができ、所望のフィルタ特性を実現することが容易になると共に、下部グランド電極111によってマザーボードの上の配線やグランド電極の影響を大きく低減できる。さらに、インダクタ電極114A,114Bから発生する磁界が上部グランド電極116によって遮蔽されることを防ぐことができる。よって、積層型誘電体フィルタ100の薄型化と特性の維持が可能となる。【選択図】図１
2007124310.tif 000002
【特許請求の範囲】
【請求項１】
複数の誘電体シートを積層してなる積層素体の内部にグランド電極と、キャパシタ電極、及びインダクタ電極を備えると共に、前記積層素体の外表面に外部端子電極を備え、前記積層素体の底面を回路基板の表面に対向させて前記回路基板上に実装する積層型誘電体フィルタにおいて、
前記積層素体の下層部に前記誘電体シートの周縁所定領域を除く全域に設けられた第１グランド電極と、
前記積層素体の上層部に設けられた第２グランド電極と、
前記第１グランド電極と前記第２グランド電極とに挟まれた中間層に設けられたキャパシタ電極及びインダクタ電極とを有し、
前記第２グランド電極は、前記誘電体シートの周縁所定領域と前記インダクタ電極及び前記インダクタ電極によって囲まれる領域に重なる領域とを除く全域に設けられている
ことを特徴とする積層型誘電体フィルタ。
【請求項２】
前記インダクタ電極は巻回型インダクタ電極であることを特徴とする請求項１に記載の積層型誘電体フィルタ。
【請求項３】
複数の巻回型インダクタ電極を備えていることを特徴とする請求項１に記載の積層型誘電体フィルタ。
【請求項４】
前記第２のグランド電極が積層素体の外表面の外部端子電極によって形成されていることを特徴とする請求項１記載の積層型誘電体フィルタ。
【発明の詳細な説明】
【技術分野】
【０００１】
本発明は、携帯電話端末やカーナビゲーション機器などに用いられる積層型フィルタに関するものである。
【背景技術】
【０００２】
従来より、携帯電話端末などに用いられるフィルタとして、誘電体ブロックを用いたフィルタや、圧電体を用いたＳＡＷフィルタ、誘電体材料をシート状に成型し積層した積層型フィルタなどが用いられている。その中でも積層型誘電体フィルタは、フィルタ回路を構成するインダクタやキャパシタを誘電体シート内に自由に形成できるとともに誘電体シートを薄くすることにより多様なフィルタ特性を実現できるとともに小型化に適しているという特徴がある。
【０００３】
しかしながら近年の携帯端末の小型化、多機能化は急激であり、積層型誘電体フィルタにおいても小型化は必須である。さらに多機能化に伴い、セットの薄型化も進み積層型フィルタの薄型化も急務である。
【０００４】
従来の積層型誘電体フィルタは、製品の上部と下部をほぼ全面のグランド電極で覆っていた。このため、薄型化が進むと上下部のグランド電極の間隔が狭くなり、積層型誘電体フィルタを形成しているコイル（インダクタ）の特性を劣化させていた。これにより、積層型フィルタの薄型化が困難であった。
【０００５】
この積層型誘電体フィルタの特性を維持した薄型化を実現する方法として、特開２００２−２１７０５９号公報に示すような方法が知られている。ここで、積層型誘電体フィルタの薄型化を実現するためにグランド電極を積層型誘電体フィルタを形成している誘電体シートの一部のみに形成している。このようにすることにより積層型誘電体フィルタの上部から配線を透過的に見たときインダクタ電極とグランド電極の重なりを少なくし、磁束の遮断を低減している。これにより結果としてフィルタの特性を維持しつつ薄型化を実現している。
【０００６】
また、積層型誘電体フィルタはインダクタとキャパシタより形成され、これらの組み合わせ方（回路方式）や定数（インダクタンスやキャパシタンスの値）により所望のフィルタ特性を実現している。
【０００７】
前述した積層型誘電体フィルタの具体的な構成を図１７〜図２１に示す。図１７は従来の積層型誘電体フィルタの形態を示す分解斜視図、図１８は図１７の積層型誘電体フィルタの外観斜視図、図１９は図１７の積層型誘電体フィルタの等価回路図、図２０は図１７の積層型誘電体フィルタを図１８の矢印Ａの方向（上面）から見た透視図、図２１は従来の積層型誘電体フィルタの特性図である。
【０００８】
図１７に示すように、積層型誘電体フィルタ１は、ドクターブレード方式など種々の成型された複数の誘電体シート２１〜２６に下部グランド電極１１、接地キャパシタ電極１２Ａ，１２Ｂ、対向キャパシタ電極１５Ａ，１５Ｂ、インダクタ電極１４Ａ，１４Ｂ、上部グランド電極１６、入出力電極１３Ａ，１３Ｂをそれぞれ表面に形成している。
【０００９】
上記の各電極は、スクリーン印刷法や転写方式などにより誘電体シート上に形成され、電極材料としては、Ａｇ，Ｐｄ，Ｐｔ，Ｃｕ，Ｎｉ，Ａｕ，Ａｇ−Ｐｄ、Ａｇ−Ｐｔ等が用いられる。
【００１０】
下部グランド電極１１は誘電体シート２１の奥側半分に形成され、誘電体シート２１の奥側の端部に露出する。
【００１１】
接地キャパシタ電極１２Ａ，１２Ｂは下部グランド１１の上部誘電体シート２２に形成される。
【００１２】
インダクタ電極１４Ａ，１４Ｂと対向キャパシタ電極１５Ａ，１５Ｂは、接地キャパシタ電極１２Ａ，１２Ｂの上部誘電体シート２３、２４に各々形成されるとともに、インダクタ電極１４Ａと対向キャパシタ電極１５Ａ、インダクタ電極１４Ｂと対向キャパシタ電極１５Ｂは互いに接続される。このとき、インダクタ電極１４Ａ，１４Ｂは図面手前半分に形成される。また、インダクタ電極１４Ａと１４Ｂについては、ビア導体３１にて層間接続される。さらにインダクタ電極１４Ａ，１４Ｂはビア導体３１Ａ，３１Ｂにより接地キャパシタ電極１２Ａ，１２Ｂに接続される。上記インダクタ電極１４Ａ，１４Ｂ、対向キャパシタ電極１５Ａ，１５Ｂは、入出力電極１３Ａ，１３Ｂにより誘電体シート端部に露出する。
【００１３】
さらに、上部誘電体シート２５に上部グランド電極１６を形成する。上部グランド電極１６は、誘電体シート２５の奥側半分に形成される。
【００１４】
これらの電極を誘電体シートに形成したのち、熱加圧積層や接着剤を用いた密着積層をして積層体を得る。
【００１５】
次いで、この積層体を７００度以上の高温で焼成した後、積層体にスクリーン印刷法や転写方式などで外部端子電極４１Ａ、４１Ｂ、４２Ａ、４２Ｂを形成する。このとき、下部グランド電極１１、上部グランド電極１６は、外部端子電極４２Ｂと電気的に接続される。また、入出力電極１３Ａ，１３Ｂは、外部端子電極４１Ａ、４１Ｂに電気的に接続される。
【００１６】
その後、必要に応じてメッキを施し積層型誘電体フィルタ１を得る。
【００１７】
以上説明したように積層型誘電体フィルタ１は、図１９に示すようなローパスフィルタの等価回路を構成する。ここで、インダクタ電極１４Ａと１４ＢはインダクタンスＬ１を構成し、対向キャパシタンス電極１５Ａ，１５Ｂは、対向キャパシタンスＣ１を構成する。インダクタンスＬ１とキャパシタンスＣ１は、特定の周波数で並列共振をする共振回路を形成する。さらに、インピーダンス調整や減衰特性の調整用の接地キャパシタンスＣ２Ａ，Ｃ２Ｂを接地キャパシタ電極１２Ａ，１２Ｂで各々形成する。
【００１８】
ここで、上記積層型誘電体フィルタ１を図１８の上面（矢印Ａ）から見た透視図を図２０に示す。ここで上部グランド電極１６および下部グランド電極１１は、インダクタ電極１４Ａ，１４Ｂと重ならないように形成されている。
【特許文献１】特開２００２−２１７０５９号公報
【発明の開示】
【発明が解決しようとする課題】
【００１９】
しかしながら前述した従来の積層型誘電体フィルタにおいては、以下のような課題がある。
【００２０】
図２１は、積層型誘電体フィルタ１の通過特性を示しており、図中の、太線で示した特性曲線５１は、積層型誘電体フィルタ１単体の特性である。同時に積層型誘電体フィルタをマザーボードに実装した特性についても示している。また、破線で示した特性曲線５２は、積層型誘電体フィルタ１を実装した下部のマザーボード上にグランド（接地）電極が形成されている場合である。
【００２１】
また、点線で示した特性曲線５３は、マザーボードの表層（積層型フィルタ実装面側）から５０μｍ内部にグランド電極が形成されている場合である。
【００２２】
このように、積層型誘電体フィルタ１の通過特性は、減衰極周波数が大きく変化し、実装されるマザーボードの状態により特性が変化してしまうことがわかる。これは、積層型誘電体フィルタ１の内部に形成されているグランド電極が誘電体シートの一部のみに形成されているためであり、インダクタ電極が発生させる磁束が積層型誘電体フィルタ１の外部にまで及んでしまい、外部、特にマザーボードの実装面側に配線やグランド電極が配置されているとインダクタが発生した磁束が遮蔽されるためである。
【００２３】
さらに、積層型誘電体フィルタ１の内部グランド電極が誘電体シートの一部分のみに形成される構造のため、キャパシタ電極とグランド電極との間でキャパシタを形成する際に、キャパシタ電極の電極面積が制限されてしまう。よって、これらのことが所望のフィルタ特性を実現するにあたり障害となり、積層型誘電体フィルタの薄型化と特性維持が困難になっていた。
【００２４】
本発明は前記問題点に鑑みてなされたものであり、その目的とするところは、マザーボード等への実装状態の違いによる特性変化を低減できる薄型の積層型誘電体フィルタを提供することにある。
【課題を解決するための手段】
【００２５】
本発明は前記目的を達成するために、複数の誘電体シートを積層してなる積層素体の内部にグランド電極と、キャパシタ電極、及びインダクタ電極を備えると共に、前記積層素体の外表面に外部端子電極を備え、前記積層素体の底面を回路基板の表面に対向させて前記回路基板上に実装する積層型誘電体フィルタにおいて、前記積層素体の下層部に前記誘電体シートの周縁所定領域を除く全域に設けられた第１グランド電極と、前記積層素体の上層部に設けられた第２グランド電極と、前記第１グランド電極と前記第２グランド電極とに挟まれた中間層に設けられたキャパシタ電極及びインダクタ電極とを有し、前記第２グランド電極は、前記誘電体シートの周縁所定領域と前記インダクタ電極及び前記インダクタ電極によって囲まれる領域に重なる領域とを除く全域に設けられている積層型誘電体フィルタを提案する。
【００２６】
本発明の積層型誘電体フィルタによれば、第１グランド電極は、誘電体シートの略全面に形成され、第２グランド電極は誘電体シートの一部分に形成されると共に積層型誘電体フィルタの上部から透視したときにインダクタ電極と重ならないように形成されている。
【００２７】
上記のような構造により、キャパシタ電極と第１グランド電極との間でキャパシタを形成する際に略全面を使用することができ、所望のフィルタ特性を実現することが容易になると共に、第１グランド電極によってマザーボードの上の配線やグランド電極の影響を大きく低減できる。また、積層型誘電体フィルタの上部から透過してみたときに、第２グランド電極をインダクタ電極と重ならないように形成することにより、インダクタ電極から発生する磁界が第２グランド電極によって遮蔽されることを防ぐことができる。よって、積層型誘電体フィルタの薄型化と特性の維持が可能となる。
【発明の効果】
【００２８】
本発明の積層型誘電体フィルタによれば、上記作用よって、インダクタ電極に発生する磁束の遮蔽を低減して特性劣化の低減を実現できるとともに、外部の配線等の影響を受にくい薄型の積層型フィルタを作成することが可能となる。
【発明を実施するための最良の形態】
【００２９】
以下、図面を参照して本発明の一実施形態を説明する。
【００３０】
本実施形態における積層型誘電体フィルタは、インダクタ電極とキャパシタ電極、及び１つ以上のグランド電極を有し、これらの各電極が誘電体シート上に形成されて積層されるとともに、積層体側面に外部との接続をとる外部端子電極が形成される積層型誘電体フィルタにおいて、マザーボードに実装される一主面側から下部グランド電極、インダクタ電極、上部グランド電極の順番に誘電体シートを介して形成されることを特徴とする。また、下部グランド電極は、誘電体シートの略全面に形成され、上部グランド電極は、積層型フィルタ上部から透視したときにインダクタ電極と重ならないように誘電体シートの一部分に形成されていることを特徴とする。
【００３１】
上記のような構造により、下部グランド電極との間でキャパシタを形成する際に略全面を使用することができ、所望のフィルタ特性を実現することが容易になるとともに、下部グランド電極によってマザーボードの上の配線やグランド電極の影響を大きく低減できる。また、インダクタ電極を積層体上部に形成し、積層型フィルタ上部から透過してみたときに、上部グランド電極をインダクタ電極と重ならないように形成することにより、発生する磁界がグランド電極によって遮蔽されることを防ぐことができる。よって、積層型誘電体フィルタの薄型化と特性の維持が可能となる。
【００３２】
次に、本発明の第１実施形態の詳細を説明する。
【００３３】
図１乃至図５は本発明の第１実施形態の積層型誘電体フィルタを示すもので、図１は本発明の第１実施形態における積層型誘電体フィルタを示す分解斜視図、図２は第１実施形態における積層型誘電体フィルタの外観斜視図、図３は第１実施形態における積層型誘電体フィルタの等価回路図、図４は第１実施形態における積層型誘電体フィルタを図２の矢印Ａの方向（上面）から見た透視図、図５は第１実施形態における積層型誘電体フィルタの特性図である。
【００３４】
図１に示すように、積層型誘電体フィルタ100は、ドクターブレード方式など種々の成型された複数の誘電体シート121〜126の表面に、下部グランド電極111、接地キャパシタ電極112A,112B、対向キャパシタ電極115A,115B、インダクタ電極114A,114B、上部グランド電極116、入出力電極113A,113Bをそれぞれ形成し、これらを積層して形成されている。
【００３５】
上記の各電極は、スクリーン印刷法や転写方式などにより誘電体シート上に形成され、電極材料としては、Ａｇ，Ｐｄ，Ｐｔ，Ｃｕ，Ｎｉ，Ａｕ，Ａｇ−Ｐｄ、Ａｇ−Ｐｔ等が用いられる。
【００３６】
下部グランド電極111は誘電体シート121の略全面に形成され、誘電体シート111の手前側と奥側の端部に露出している。
【００３７】
接地キャパシタ電極112A,112Bは下部グランド111の上部誘電体シート122に形成されている。
【００３８】
インダクタ電極114A,114Bと対向キャパシタ電極115A,115Bは、接地キャパシタ電極112A,112Bの上部誘電体シート123,124におのおの形成されていると共に、インダクタ電極114Aと対向キャパシタ電極115A、インダクタ電極114Bと対向キャパシタ電極115Bは互いに接続されている。また、インダクタ電極114Aと114Bについては、ビア導体131にて層間接続される。さらにインダクタ電極114A,114Bはビア導体131A,131Bにより接地キャパシタ電極112A,112Bに接続されている。
【００３９】
上記インダクタ電極114A,114B、対向キャパシタ電極115A,115Bは、入出力電極113A,113Bにより誘電体シート端部に露出している。
【００４０】
さらに、上部誘電体シート125には上部グランド電極116が形成れており、上部グランド電極116は、誘電体シート125の中央手前部分に開口部116aを有する形状に設定されている。
【００４１】
積層型誘電体フィルタ100を製造する際には、これらの電極を誘電体シートに形成したのち、熱加圧積層や接着剤を用いた密着積層をして積層体を得る。
【００４２】
積層体を７００度以上の高温で焼成した後、積層体にスクリーン印刷法や転写方式などで外部端子電極141A,141B,142A,142Bを形成する。このとき、下部グランド電極111及び上部グランドグランド電極116は、外部端子電極142A,142Bと電気的に接続される。また、入出力電極113A,113Bは、外部端子電極141A,141Bに電気的に接続される。その後、必要に応じてメッキを施し積層型誘電体フィルタ100を得る。このときの積層型誘電体フィルタ100の厚みは、０．５ｍｍ以下であり、薄型化が可能である。
【００４３】
以上に説明した積層型誘電体フィルタ100は、図３に示す等価回路のローパスフィルタを構成する。ここで、インダクタ電極114Aと114BはインダクタンスＬ１を構成し、対向キャパシタ電極115A,115Bは、対向キャパシタンスＣ１を構成する。インダクタンスＬ１とキャパシタンスＣ１は、特定の周波数で並列共振をする共振回路を形成する。さらに、インピーダンス調整や減衰特性の調整用の接地キャパシタンスＣ２Ａ，Ｃ２Ｂは接地キャパシタ電極112A,112Bでおのおの形成される。
【００４４】
ここで、上記積層型誘電体フィルタ100を図２の上面（矢印Ａ方向）から見た透視図を図４に示す。ここで上部グランド電極116は、インダクタ電極114A,114Bと重ならないように開口部を持たせ形成されている。
【００４５】
本実施形態では、図４中、インダクタ電極114A,114Bの端部と上部グランド電極116の端部までの距離を７５μｍとしたが、インダクタ電極114A,114Bから発生する磁界は、インダクタ電極114A,114Bの間（図４のＢ部）に多く発生することから、インダクタ電極114A,114Bの間のみ上部電極116を開口させても良い。また、フィルタ特性に応じては、上部グランド電極116の大部分を開放してもかまわない。
【００４６】
また、各電極は、実装面側から下部グランド電極111、キャパシタ電極112A,112B、インダクタ電極114A,114B、上部グランド電極116の順で形成され、インダクタ電極114A,114Bは上部グランド電極116とキャパシタ電極112A,112Bの間に形成されている。
【００４７】
ここで、本実施形態の積層型誘電体フィルタ100の周波数特性を図５に示す。図５において、縦軸は減衰量を表し、横軸は周波数を表している。また、図中の、太線で示した特性曲線151は、積層型誘電体フィルタ100単体の特性であると同時に積層型誘電体フィルタ100をマザーボードに実装した特性についても示している。
【００４８】
また、点線で示した特性曲線152は、積層型誘電体フィルタ100を実装したマザーボードにグランド電極が形成されている場合の特性を示している。また、破線で示した特性曲線153は、積層型誘電体フィルタ100を実装したマザーボードの表層（積層型フィルタ実装面側）から５０μｍ内部にグランド電極が形成されている場合の特性を示している。このように、本実施形態の積層型誘電体フィルタ100の特性は、マザーボードへの実装状態に違いがあっても、ほとんど変化がないことがわかる。また、フィルタ特性の劣化もみられない。
【００４９】
即ち、上記のような構造にすることより、キャパシタ電極とグランド電極との間でキャパシタを形成する際に略全面を使用することができ、所望のフィルタ特性を実現することが容易になると共に、マザーボードの上の配線やグランド電極の影響を大きく低減することができる。また、インダクタ電極を積層体上部に形成し、上部グランド電極をインダクタ電極と積層型誘電体フィルタの上部から透過してみたときに重ならないように形成することにより、インダクタ電極から発生する磁界が下部グランド電極によって遮蔽されることを低減し、また上部グランド電極によって遮蔽されることを防ぐことができる。
【００５０】
次に、本発明の第２実施形態を説明する。
【００５１】
図６乃至図９は本発明の第２実施形態の積層型誘電体フィルタを示すもので、図６は本発明の第２実施形態における積層型誘電体フィルタを示す分解斜視図、図７は第２実施形態における積層型誘電体フィルタの外観斜視図、図８は第２実施形態における積層型誘電体フィルタの等価回路図、図９は第２実施形態における積層型誘電体フィルタを図７の矢印Ａの方向（上面）から見た透視図である。
【００５２】
図６に示すように、積層型誘電体フィルタ200は、ドクターブレード方式など種々の成型された複数の誘電体シート221〜226の表面に下部グランド電極211、接地キャパシタ電極212A,212B、対向キャパシタ電極215A,215B、インダクタ電極214A,214B、上部グランド電極216、入出力電極213A,213Bをそれぞれ形成し、これらを積層して形成されている。
【００５３】
上記の各電極は、スクリーン印刷法や転写方式などにより誘電体シート上に形成され、電極材料としては、Ａｇ，Ｐｄ，Ｐｔ，Ｃｕ，Ｎｉ，Ａｕ，Ａｇ−Ｐｄ、Ａｇ−Ｐｔ等が用いられる。
【００５４】
下部グランド電極211は誘電体シート221の略全面に形成され、誘電体シート221の手前側と奥側の端部に露出している。
【００５５】
対向キャパシタ電極215A,215Bは、インダクタ電極214A,214Bの上下層である誘電体シート222,224の表面におのおの形成されている。
【００５６】
インダクタ電極214A,214Bと接地キャパシタ電極212A,212Bは下部グランド電極211の上部の誘電体シート223に形成されている。
【００５７】
インダクタ電極214Aと接地キャパシタ電極212A、インダクタ電極214Bと接地キャパシタ電極212Bは互いに接続されている。また、インダクタ電極214Aと214Bについては、それぞれの端部が誘電体シート223の手前側に露出し、外部電極（図示せず）によりグランド電極と接続される。上記インダクタ電極214A,214B、接地キャパシタ電極212A,212Bは、入出力電極213A,213Bにより誘電体シート223の両端部に露出する。
【００５８】
さらに、上部誘電体シート225に上部グランド電極216が形成されている。上部グランド電極216は、誘電体シート225の中央手前部分に開口部216aを有する略Ｕ字形状に設定されている。
【００５９】
積層型誘電体フィルタ200を製造する際には、これらの電極を誘電体シートに形成したのち、熱加圧積層や接着剤を用いた密着積層をして積層体を得る。
【００６０】
積層体を７００ど以上の高温で焼成した後、積層体にスクリーン印刷法や転写方式などで外部端子電極241A,241B,242A,242Bを形成する。このとき、下部グランド電極211及び上部グランドグランド電極216は、外部端子電極242A,242Bと電気的に接続される。また、インダクタ電極214A,214Bは、外部端子電極242Aと電気的に接続され、入出力電極213A,213Bは、外部端子電極241A,241Bに電気的に接続される。その後、必要に応じてメッキを施し積層型誘電体フィルタ200を得る。このときの積層型誘電体フィルタ200の厚みは、０．５ｍｍ以下であり、薄型化が可能である。
【００６１】
以上に説明したように積層型誘電体フィルタ200は、図８に示す等価回路のバンドパスフィルタを構成する。ここで、インダクタ電極214Aと214BはストリップラインＳＬ１Ａ，ＳＬ１Ｂを構成し、対向キャパシタ電極215A,215Bは、対向キャパシタンスＣ１を構成する。同時にインダクタンス電極214A,214Bは互いに磁界結合を生じ、等価回路上の磁界結合Ｍを形成する。磁界結合ＭとキャパシタンスＣ１は、特定の周波数で並列共振をする共振回路を形成する。さらに、インピーダンス調整や減衰特性の調整用の接地キャパシタンスＣ２Ａ，Ｃ２Ｂを接地キャパシタ電極212A,212Bでおのおの形成される。
【００６２】
ここで、上記積層型誘電体フィルタ200を図７の上面（矢印Ａ方向）から見た透視図を図９に示す。ここで上部グランド電極216は、インダクタ電極214A,214Bと重ならないように開口部を持たせ形成されている。本実施形態では、図９中、インダクタ電極214A,214Bの端部と上部グランド電極216の端部までの距離を３００μｍとしたが、インダクタ電極214A,214Bから発生する磁界は、インダクタ電極214A,214B間（図９のＢ部）に特に多いことから、インダクタ電極214A,214Bの間のみにおいて上部グランド電極216を開口させても良い。また、フィルタ特性に応じては、上部グランド電極216の大部分を開放してもかまわない。
【００６３】
また、各電極は、マザーボード等への実装面側から下部グランド電極211、キャパシタ電極215B、インダクタ電極214A,214B、キャパシタ電極215A、上部グランド電極216の順で形成され、インダクタ電極214A,214Bは上部グランド電極216とキャパシタ電極215Bとの間に形成されている。
【００６４】
ここで、本実施形態の積層型誘電体フィルタ200の周波数特性を図１０に示す。図１０において、縦軸は減衰量を表し、横軸は周波数を表している。また、図中の、太線で示した特性曲線251は、積層型誘電体フィルタ200単体の特性であると同時に積層型誘電体フィルタ200をマザーボードに実装した特性についても示している。ここで、点線で示した特性曲線252は、積層型誘電体フィルタ200を実装したマザーボードの表面にグランド電極が形成されている場合の特性を示している。また、破線で示した特性曲線253は、積層型誘電体フィルタ200を実装したマザーボードの表層（積層型フィルタ実装面側）から５０μｍ内部にグランド電極が形成されている場合の特性を示している。このように、本実施形態の積層型誘電体フィルタ200の特性は、マザーボードへの実装状態に違いがあっても、ほとんど変化がないことがわかる。また、フィルタ特性の劣化もみられない。
【００６５】
即ち、上記のような構造にすることより、キャパシタ電極とグランド電極との間でキャパシタを形成する際に略全面を使用することができ、所望のフィルタ特性を実現することが容易になると共に、マザーボードの上の配線やグランド電極の影響を大きく低減することができる。また、インダクタ電極を積層体上部に形成し、上部グランド電極をインダクタ電極と積層型誘電体フィルタの上部から透過してみたときに重ならないように形成することにより、インダクタ電極から発生する磁界が下部グランド電極によって遮蔽されることを低減し、また上部グランド電極によって遮蔽されることを防ぐことができる。
【００６６】
次に、本発明の第３実施形態の詳細を説明する。
【００６７】
図１１乃至図１５は本発明の第３実施形態の積層型誘電体フィルタを示すもので、図１１は本発明の第３実施形態における積層型誘電体フィルタを示す外観斜視透視図、図１２は第３実施形態における積層型誘電体フィルタの側断面図、図１３は第３実施形態における積層型誘電体フィルタを示す分解斜視図、図１４は第３実施形態における積層型誘電体フィルタの等価回路図、図１５は第３実施形態における積層型誘電体フィルタを図１１の矢印Ａの方向（上面）から見た透視図である。
【００６８】
図に示すように、積層型誘電体フィルタ300は、ドクターブレード方式など種々の成型された複数の誘電体シート321〜128の表面に、下部グランド電極311、接地キャパシタ電極312A,312B,314、接続電極315、インダクタ電極316A,316B,316C,317A,317B,317C、上部グランド電極318、入出力電極313A,313Bをそれぞれ形成し、これらを積層して形成されている。
【００６９】
上記の各電極は、スクリーン印刷法や転写方式などにより誘電体シート上に形成され、電極材料としては、Ａｇ，Ｐｄ，Ｐｔ，Ｃｕ，Ｎｉ，Ａｕ，Ａｇ−Ｐｄ、Ａｇ−Ｐｔ等が用いられる。
【００７０】
下部グランド電極311は誘電体シート321の略全面に形成され、誘電体シート311の手前側と奥側の端部に露出している。
【００７１】
接地キャパシタ電極312A,312B,314は下部グランド311の上部誘電体シート322に形成されている。
【００７２】
接続電極315は、接地キャパシタ電極312A,312B,314の上部誘電体シート323に形成され、ビア導体319Aによって接地キャパシタ電極314に接続されている。
【００７３】
インダクタ電極316A,317Aは対向キャパシタ電極315の上部誘電体シート324に形成され、インダクタ電極316B,317Bはインダクタ電極316A,317Aの上部誘電体シート325に形成され、インダクタ電極316C,317Cはインダクタ電極316B,317Bの上部誘電体シート326に形成されている。
【００７４】
さらに、インダクタ電極316A,317Aのそれぞれの一端部と接続電極315はビア導体319B,319Cによって接続され、インダクタ電極316A,317Aのそれぞれの他端とインダクタ電極316B,317Bのそれぞれの一端がビア導体319D,319Eによって接続され、インダクタ電極316B,317Bのそれぞれの他端とインダクタ電極316C,317Cのそれぞれの一端がビア導体319F,319Gによって接続され、インダクタ電極316C,317Cのそれぞれの他端は誘電体シート326の両端部に露出している。
【００７５】
また、接地キャパシタ電極312A,312Bは、入出力電極313A,313Bにより誘電体シート322の端部に露出している。
【００７６】
さらに、上部誘電体シート317には上部グランド電極318が形成れており、上部グランド電極318は、誘電体シート327の長手方向両端部分に開口部318a,318bを有するＨ字形状に設定されている。
【００７７】
積層型誘電体フィルタ300を製造する際には、これらの電極を誘電体シートに形成したのち、熱加圧積層や接着剤を用いた密着積層をして積層体を得る。
【００７８】
積層体を７００度以上の高温で焼成した後、積層体にスクリーン印刷法や転写方式などで外部端子電極341A,341B,342A,342Bを形成する。このとき、下部グランド電極311及び上部グランドグランド電極318は、外部端子電極342A,342Bと電気的に接続される。また、入出力電極113A,113Bとインダクタ電極316C,317Cのそれぞれの他端は、外部端子電極341A,341Bに電気的に接続される。その後、必要に応じてメッキを施し積層型誘電体フィルタ300を得る。このときの積層型誘電体フィルタ300の厚みは、０．５ｍｍ以下であり、薄型化が可能である。
【００７９】
以上に説明した積層型誘電体フィルタ300は、図１４に示す等価回路のローパスフィルタを構成する。ここで、インダクタ電極316A,316B,316CはインダクタンスＬ１を構成し、インダクタ電極317A,317B,317CはインダクタンスＬ２を構成する。また、キャパシタンスC1，Ｃ２は寄生容量によって形成され、インダクタンスＬ１とキャパシタンスＣ１は特定の周波数で並列共振をする共振回路を形成し、インダクタンスＬ２とキャパシタンスＣ２は特定の周波数で並列共振をする共振回路を形成する。さらに、インピーダンス調整や減衰特性の調整用の接地キャパシタンスＣ３Ａ，Ｃ３Ｂ、Ｃ３Ｃは接地キャパシタ電極312A,312B,314でおのおの形成される。
【００８０】
ここで、上記積層型誘電体フィルタ300を図１１の上面（矢印Ａ方向）から見た透視図を図１５に示す。ここで上部グランド電極318は、インダクタ電極316A〜316C,317A〜317Cと重ならないように開口部を持たせて形成されている。
【００８１】
インダクタ電極316A〜316C,317A〜317Cから発生する磁界は、インダクタ電極316A〜316C,317A〜317Cの間（図１５のＢ１，Ｂ２部分）に多く発生することから、インダクタ電極316A〜316C,317A〜317Cの間のみ上部電極318を開口させても良い。また、フィルタ特性に応じては、上部グランド電極318の大部分を開放してもかまわない。
【００８２】
また、各電極は、実装面側から下部グランド電極311、接地キャパシタ電極312A,312B,314、接続電極315、インダクタ電極316A〜316C,317A〜317C、上部グランド電極318の順で形成され、インダクタ電極316A〜316C,317A〜317Cは上部グランド電極318と接地キャパシタ電極312A,312B,314の間に形成されている。
【００８３】
上記実施形態における積層型誘電体フィルタ300においても、上記第１及び第２実施形態と同様に、積層型誘電体フィルタ300単体の特性、積層型誘電体フィルタ300をマザーボードに実装した特性、積層型誘電体フィルタ300を実装したマザーボードの表面にグランド電極が形成されている場合の特性、積層型誘電体フィルタ300を実装したマザーボードの表層（積層型フィルタ実装面側）から５０μｍ内部にグランド電極が形成されている場合の特性はほぼ同様であった。このように、本実施形態の積層型誘電体フィルタ300の特性は、マザーボードへの実装状態に違いがあっても、ほとんど変化がなく、フィルタ特性の劣化もみられなかった。
【００８４】
即ち、上記のような構造にすることより、キャパシタ電極とグランド電極との間でキャパシタを形成する際に略全面を使用することができ、所望のフィルタ特性を実現することが容易になると共に、マザーボードの上の配線やグランド電極の影響を大きく低減することができる。また、インダクタ電極を積層体上部に形成し、上部グランド電極をインダクタ電極と積層型誘電体フィルタの上部から透過してみたときに重ならないように形成することにより、インダクタ電極から発生する磁界が下部グランド電極によって遮蔽されることを低減し、また上部グランド電極によって遮蔽されることを防ぐことができる。尚、上記第３実施形態における上部グランド電極はＨ字形状の両側の平行に配置された２つの帯状部分とこれらを連結する中央の帯状部分とからなり、中央の帯状部分はこれを挟んで配置された複数のインダクタの磁束による相互干渉を防止する機能を有する。半面、これが幅広になると各インダクタの磁束を遮蔽してしまう虞がある。このため、この帯状部分の幅を小さくしようとすると、グランド電極としての安定性が損なわれてしまう。そこで、両側の平行に配置された２つの帯状部分にこれらを連結する帯状部分の両端をそれぞれ接続することにより、積層体側面の外部端子電極３４２Ａ，３４２Ｂとの接続性を十分確保することが可能となり、小さな幅であってもグランド電極としての機能を安定して取得することができる。
【００８５】
次に発明の変形例について説明する。
【００８６】
図１６は本発明の実施形態の変形例の積層型誘電体フィルタを示すものである。
図１６に示すように、積層型誘電体フィルタ５００は、図示省略したが、複数の誘電体シートを積層体してなる積層体素体の内部にグランド電極と、キャパシタ電極、及びインダクタ電極を備えると共に、前記積層素体の外表面に外部端子テ゛ンキョクを備え、前記積層素体の底面を回路基板の表面に対向させて前記回路基板上に実装する積層型誘電体フィルタであって、前記積層体の下層部に前記誘電体シートの周縁所定領域を除く全域に設けられた第１グランド電極と、前記積層素体の上層部に設けられた第２グランド電極と、前記第１グランド電極と前記第２グランド電極とに挟まれた中間層に設けられたキャパシタ電極及びインダクタ電極とを有する点は、先の実施形態と同様であるが、前記実施形態と異なる点は、前記第２グランド電極が、積層素体の外表面の外部端子電極５４２Ａ、５４２Ｂによって形成されているものである。これは、積層素体に収容すべきインダクタが多数あると、積層素体の内部に第２グランド電極を配置することが事実上難しくなり、このような場合に、前記第１グランド電極と接続された積層素体表面の外部端子電極５４２Ａ、５４２Ｂにそれぞれ回り込み部分を設けてキャップ状に形成し、これを第２グランド電極として用いるものである。
【００８７】
尚、前記実施形態では、本発明の一具体例に過ぎず、本発明が上記実施形態の構成のみに限定されることはない。例えば、上記第３実施形態では２つのインダクタＬ１，Ｌ２が併設された積層誘電体フィルタ300を構成したが、３つ以上のインダクタが併設された積層誘電体フィルタを構成しても上記と同様の効果を得ることができる。
【図面の簡単な説明】
【００８８】
【図１】本発明の第１実施形態における積層型誘電体フィルタを示す分解斜視図
【図２】本発明の第１実施形態における積層型誘電体フィルタの外観斜視図
【図３】本発明の第１実施形態における積層型誘電体フィルタの等価回路図
【図４】本発明の第１実施形態における積層型誘電体フィルタを図２の矢印Ａの方向（上面）から見た透視図
【図５】本発明の第１実施形態における積層型誘電体フィルタの特性図
【図６】本発明の第２実施形態における積層型誘電体フィルタを示す分解斜視図
【図７】本発明の第２実施形態における積層型誘電体フィルタの外観斜視図
【図８】本発明の第２実施形態における積層型誘電体フィルタの等価回路図
【図９】本発明の第２実施形態における積層型誘電体フィルタを図７の矢印Ａの方向（上面）から見た透視図
【図１０】本発明の第２実施形態における積層型誘電体フィルタの特性図
【図１１】本発明の第３実施形態における積層型誘電体フィルタを示す外観斜視透視図
【図１２】本発明の第３実施形態における積層型誘電体フィルタの側断面図
【図１３】本発明の第３実施形態における積層型誘電体フィルタを示す分解斜視図
【図１４】本発明の第３実施形態における積層型誘電体フィルタの等価回路図
【図１５】本発明の第３実施形態における積層型誘電体フィルタを図１１の矢印Ａの方向（上面）から見た透視図
【図１６】本発明の変形例における積層型誘電体フィルタの外観斜視図
【図１７】従来例における積層型誘電体フィルタを示す分解斜視図
【図１８】従来例における積層型誘電体フィルタの外観斜視図
【図１９】従来例における積層型誘電体フィルタの等価回路図
【図２０】従来例における積層型誘電体フィルタを図１７の矢印Ａの方向（上面）から見た透視図
【図２１】従来例における積層型誘電体フィルタの特性図
【符号の説明】
【００８９】
100…積層型誘電体フィルタ、111…下部グランド電極、112A,112B…接地キャパシタ電極、113A,113B…入出力電極、114A,114B…インダクタ電極、115A,115B…対向キャパシタ電極、116…上部グランド電極、116a…開口部、121〜126…誘電体シート、131,131A,131B…ビア導体、141A,141B,142A,142B…外部端子電極、200…積層型誘電体フィルタ、211…下部グランド電極、212A,212B…接地キャパシタ電極、213A,213B…入出力電極、214A,214B…インダクタ電極、215A,215B…対向キャパシタ電極、216…上部グランド電極、216a…開口部、221〜226…誘電体シート、241A,241B,242A,242B…外部端子電極、300…積層型誘電体フィルタ、311…下部グランド電極、312A,312B…接地キャパシタ電極、313A,313B…入出力電極、314…接地キャパシタ電極、315…接続電極、316A〜316C,317A〜317C…インダクタ電極、318…上部グランド電極、318a,318b…開口部、321〜328…誘電体シート、319A〜319G…ビア導体、341A,341B,342A,342B…外部端子電極、500…積層型誘電体フィルタ、541A,541B,542A,542B…外部端子電極。
【図１】
2007124310.tif 000003
【図２】
2007124310.tif 000004
【図３】
2007124310.tif 000005
【図４】
2007124310.tif 000006
【図５】
2007124310.tif 000007
【図６】
2007124310.tif 000008
【図７】
2007124310.tif 000009
【図８】
2007124310.tif 000010
【図９】
2007124310.tif 000011
【図１０】
2007124310.tif 000012
【図１１】
2007124310.tif 000013
【図１２】
2007124310.tif 000014
【図１３】
2007124310.tif 000015
【図１４】
2007124310.tif 000016
【図１５】
2007124310.tif 000017
【図１６】
2007124310.tif 000018
【図１７】
2007124310.tif 000019
【図１８】
2007124310.tif 000020
【図１９】
2007124310.tif 000021
【図２０】
2007124310.tif 000022
【図２１】
2007124310.tif 000023